(57)【要約】【課題】釣針および錘を交換することができ、汎用性が高く経済性に優れたジグヘッドを提供する。【解決手段】錘本体１０と、錘本体１０に取り付け取り外し可能に設けられた取着部材２０と、錘本体１０と取着部材２０との間にチモト３１が挟持されることで取り付けられる釣針３０と、を具備した構成とした。取着部材２０は、錘本体１０に取り付けられて錘として機能する。取着部材２０は釣糸結束部を備えており、釣糸結束部は、錘本体１０の重心Ｏを通る鉛直線Ｏ１上に位置している。チモト３１が挟持される錘本体１０と取着部材２０との対向部位には、チモト３１を係止して収容する凹部１２が設けられている構成とした。【選択図】図１
2011110032.tif 000002
【特許請求の範囲】
【請求項１】
錘本体と、
前記錘本体に取り付け取り外し可能に設けられた取着部材と、
前記錘本体と前記取着部材との間にチモトが挟持されることで取り付けられる釣針と、を具備したことを特徴とするジグヘッド。
【請求項２】
前記取着部材は、前記錘本体に取り付けられて錘として機能することを特徴とする請求項１に記載のジグヘッド。
【請求項３】
前記取着部材は釣糸結束部を備えており、
前記釣糸結束部は、前記錘本体の重心を通る鉛直線上に位置していることを特徴とする請求項１または請求項２に記載のジグヘッド。
【請求項４】
前記チモトが挟持される前記錘本体と前記取着部材との対向部位には、前記チモトを係止して収容する凹部が設けられていることを特徴とする請求項１から請求項３のいずれか１項に記載のジグヘッド。
【発明の詳細な説明】
【技術分野】
【０００１】
本発明は、魚釣り等に用いるジグヘッドに関する。
【背景技術】
【０００２】
従来、ジグヘッドは、種々のものが知られており、主として錘と釣針とを備えて構成されている（例えば、特許文献１参照）。
ジグヘッドに使用される釣針は、錘に埋設されて固定されており、錘と一体的に設けられていた。例えば、ジグヘッドの一つである、マダイやタコ等の釣りに用いられるテンヤでは、釣針のチモトを錘に設けた貫通孔に挿し、錘の頂部から金槌で叩いて貫通孔を圧潰することで錘に釣針を埋設固定していた。
【先行技術文献】
【特許文献】
【０００３】
【特許文献１】特開２００６−６７８８５号公報
【発明の概要】
【発明が解決しようとする課題】
【０００４】
しかしながら、特許文献１のジグヘッドや前記したテンヤでは、錘と釣針とが一体的に設けられているので、釣針が破損等しても釣針のみを交換することができなかった。このため、釣針を交換する必要がある場合には、ジグヘッドごと交換しなければならなかった。
また、錘は、対象魚等の大きさや活性、潮の速度、海の深さ等に応じて、適切な重量を有するものを選択したいところであるが、前記のように錘と釣針とが一体的に設けられているので、錘のみを交換して対応することができなかった。
このため、釣行時には複数種類のジグヘッドを複数個ずつ用意する必要があり、煩わしく費用も嵩むという問題があった。
【０００５】
本発明は、このような問題を解決するためになされたものであり、釣針および錘を交換することができ、汎用性が高く経済性に優れたジグヘッドを提供することを課題とする。
【課題を解決するための手段】
【０００６】
このような課題を解決する本発明のジグヘッドは、錘本体と、前記錘本体に取り付け取り外し可能に設けられた取着部材と、前記錘本体と前記取着部材との間にチモトが挟持されることで取り付けられる釣針と、を具備したことを特徴とする。
【０００７】
このジグヘッドによれば、錘本体に取着部材を取り付ける際に、錘本体と取着部材との間に、チモトを挟持して釣針を取り付けることができる。そして、錘本体から取着部材を取り外すことにより、前記したチモトの挟持を解除して錘本体と取着部材との間から釣針を取り外すことができる。
また、取り外した取着部材を、重量の異なる他の錘本体に取り付けることで、錘の重さを変更することができる。この場合にも、他の錘本体と取着部材との間にチモトを挟持させることで釣針を取り付けることができる。
【０００８】
また、本発明は、前記取着部材が、前記錘本体に取り付けられて錘として機能することを特徴とする。
【０００９】
このジグヘッドによれば、取着部材が、錘として機能するので、錘本体と取着部材とを合わせた重量の錘として使用することができ、前記錘本体と取着部材との重量を種々変更することによって、重量のバリエーションを豊富に設定することができる。
また、錘本体一つで所望の重量となるように設けたジグヘッドに比べて、取着部材が錘として機能する分、錘本体の重量を小さく（例えば、比重にもよるが質量を小さく）設定することができる。
【００１０】
また、本発明は、前記取着部材が釣糸結束部を備えており、前記釣糸結束部は、前記錘本体の重心を通る鉛直線上に位置していることを特徴とする。
【００１１】
このジグヘッドによれば、釣糸結束部が錘本体の重心を通る鉛直線上に位置しているので、ジグヘッドは、重心位置の鉛直線上にて釣糸で支持されることとなる。
【００１２】
また、本発明は、前記チモトが挟持される前記錘本体と前記取着部材との対向部位に、前記チモトを収容して係止する凹部が設けられていることを特徴とする。
【００１３】
このジグヘッドによれば、凹部内にチモトを収容して係止した状態で、錘本体と取着部材との間にチモトを挟持することができる。
【発明の効果】
【００１４】
本発明によれば、錘本体と取着部材との間にチモトを挟持して釣針を取り付けることができるとともに、チモトの挟持を解除して釣針を取り外すことができるので、釣針が破損等した場合には、釣針を取り外して釣針のみを交換することができる。
また、錘本体から取着部材を取り外すことで、釣針の交換とともに錘本体を交換することができ、また、錘本体のみを交換することもできる。したがって、汎用性が高く経済性に優れたジグヘッドが得られる。
また、取り外した取着部材を、重量の異なる他の錘本体に取り付けることによって、錘の重さを変更することができ、対象魚等の大きさや活性、潮の速度、海の深さ等に応じて、適切な重量を選択することができる。これにより、対象魚等の捕食活動を強く刺激することができる。
【００１５】
また、本発明によれば、取着部材が、錘本体に取り付けられて錘として機能し、錘本体と取着部材との重量を種々変更することによって、重量のバリエーションを豊富に設定することができるので、対象魚等の大きさや活性、潮の速度、海の深さ等の状況に応じて、適切な重量を選択することができる。これにより、対象魚等の捕食活動を強く刺激することができる。
【００１６】
また、錘本体一つで所望の重量となるように設けたジグヘッドに比べて、取着部材が錘として機能する分、錘本体の重量を小さく設定することができるので、携行性に優れるとともに、使い勝手のよいジグヘッドが得られる。
【００１７】
また、錘本体と、錘として機能する取着部材との形状を略同一形状にして、これらを取り付け取り外し可能に連結することにより、キャスティングやリトリーブに優れたソフトルアー装着用等のリグとしても好適に用いることができる。
【００１８】
また、本発明によれば、釣糸結束部が錘本体の重心を通る鉛直線上に位置しているので、水中において実用的に安定した姿勢を保つことができる。これにより、対象魚等の捕食活動を強く刺激することができる。
また、釣糸結束部を通じて釣糸によりジグヘッドを水中で上下動させる際にも姿勢が安定し、対象魚等の捕食活動を強く刺激することができる。
【００１９】
また、本発明によれば、凹部にチモトを収容して係止することができるので、錘本体と取着部材との間にチモトが挟持されることと相俟って、錘本体と取着部材との間に釣針を強固に取り付けることができる。
したがって、釣針が取り付け取り外し可能な構成であるにもかかわらず、錘本体と取着部材との間から釣針が抜け落ちるのを好適に阻止することができる。これにより、対象魚等を釣針に確実に掛けることができる。
【図面の簡単な説明】
【００２０】
【図１】本発明の第１実施形態に係るジグヘッドを示した図であり、（ａ）は全体構成を示す分解斜視図、（ｂ）は外観斜視図、（ｃ）は図１（ａ）のＣ１−Ｃ１線に沿う断面図である。
【図２】本発明の第２実施形態に係るジグヘッドを示した図であり、（ａ）は全体構成を示す分解斜視図、（ｂ）は外観斜視図、（ｃ）は図２（ａ）のＣ２−Ｃ２線に沿う断面図である。
【図３】第２実施形態のジグヘッドの変形例を示す図であり、（ａ）は錘本体の上部を拡大して示す斜視図、（ｂ）は横孔にチモトを装着した状態を示す斜視図、（ｃ）は外観斜視図である。
【図４】本発明の第３実施形態に係るジグヘッドを示した図であり、（ａ）は全体構成を示す分解斜視図、（ｂ）は外観斜視図、（ｃ）は図４（ｂ）のＣ３−Ｃ３線に沿う断面図である。
【図５】本発明の第４実施形態に係るジグヘッドを示した図であり、（ａ）は全体構成を示す分解斜視図、（ｂ）は外観斜視図、（ｃ）は図５（ｂ）のＣ４−Ｃ４線に沿う断面図である。
【発明を実施するための形態】
【００２１】
以下、本発明に係るジグヘッドの実施の形態について図面を参照しながら説明する。各実施形態において、同一の部分には同一の符号を付し、重複する説明は省略する。なお、以下の説明において「上下」の語は、図１（ａ）、図２（ａ）、図３（ｃ）、図４（ａ）、図５（ａ）に記載した方向を基準として用いている。また、以下の説明では、マダイやタコ等の釣りに用いられるテンヤにジグヘッドを適用した例について説明するが、ジグヘッドの形状や用途等を限定する趣旨ではない。
【００２２】
（第１実施形態）
図１各図に示すように、ジグヘッド１は、錘本体１０と、錘本体１０に取り付け取り外し可能に設けられた取着部材２０と、錘本体１０と取着部材２０との間にチモト３１を挟持させて取り付けられる釣針３０と、を備えて構成されている。
【００２３】
錘本体１０は、略円錐状（裁頭円錐状）を呈しており、軸線方向の一端側となる上端側の径が他端側となる下端側に比べて小さく形成され、下端側に重心Ｏが位置するように設定されている。錘本体１０は、例えば、タングステン、すず、金属粉を含む樹脂材等で形成されており、その上端中央には、軸線方向に沿うねじ穴（雌ねじ）１１が開口形成されている。
ねじ穴１１には、取着部材２０に設けられたねじ部（雄ねじ）２２が螺合可能となっており、ねじ穴１１の図示しない軸線は、錘本体１０の重心Ｏを通る鉛直線Ｏ１（図１（ｂ）参照）に略一致している。
【００２４】
錘本体１０の上端には、図１（ａ）に示すように、ねじ穴１１の開口を囲むように凹部１２が設けられている。凹部１２は、釣針３０に形成されたリング状（円環状）のチモト３１を収容して係止可能であり、チモト３１の外形状に対応した形状（円環状）の内側壁１２ａと、この内側壁１２ａに連続する底壁１２ｂと、内側壁１２ａと底壁１２ｂとに連続する溝部１２ｃとを有している。
底壁１２ｂは、図１（ｃ）に示すように、チモト３１の径方向における厚み寸法と略同等の深さ寸法、または厚み寸法よりも幾分深くなる深さ寸法を有して形成されており、凹部１２内には、チモト３１の略全体が収容されるようになっている。これによって、錘本体１０に取着部材２０を取り付けると、チモト３１は、凹部１２の底壁１２ｂと取着部材２０の頭部２１の下面２１ｂ（図１（ａ）参照）との間に挟持されるようになっている。
【００２５】
なお、チモト３１の径方向における厚み寸法よりも幾分深くなる深さ寸法を有して底壁１２ｂを形成した場合には、凹部１２の底壁１２ｂと取着部材２０の頭部２１の下面２１ｂとの間に若干の隙間をもってチモト３１が挟持されることとなる。
溝部１２ｃには、チモト３１の近傍の軸部３２が配置される。
【００２６】
このような錘本体１０は、材料や質量を変えることにより重量を任意に設定することができ、また、表面に、対象魚等の捕食活動を刺激するような色や模様を付すこともできる。
【００２７】
取着部材２０は、螺合により錘本体１０に取り付け取り外し可能であり、円柱状の頭部２１と、この頭部２１の軸線に沿って垂下されたねじ部２２とを有している。取着部材２０は、硬質の材料、例えば、錘本体１０と同様の材料から形成することができ、また、樹脂材のみから形成することもできる。なお、取着部材２０を錘本体１０と同様の材料から形成した場合には、取着部材２０を、錘本体１０と一体とされた錘として機能させることができる。
【００２８】
頭部２１の上面における略中心部には、釣糸結束部として機能する結束部材２１ａが連結されている。この結束部材２１ａには、釣糸４１が結束可能である。
このような結束部材２１ａは、図１（ｂ）に示すように、錘本体１０に取着部材２０を取り付けた状態で錘本体１０の重心Ｏを通る鉛直線Ｏ１上に位置している。つまり、結束部材２１ａに結束される釣糸４１の延長上に錘本体１０の重心Ｏが位置している。
【００２９】
ねじ部２２は、図１（ｃ）に示すように、前記したように錘本体１０のねじ穴１１に螺合可能であり、図１（ａ）に示すように、チモト３１に形成された貫通孔３１ａに挿通可能な径を有して形成されている。これによって、取着部材２０は、ねじ穴１１の開口の凹部１２内にチモト３１を収容した状態で、そのねじ部２２をチモト３１の貫通孔３１ａに挿通させてねじ穴１１に螺合可能である（図１（ｃ）参照）。
【００３０】
これにより、錘本体１０に取着部材２０を取り付ける際に、錘本体１０と取着部材２０との間にチモト３１を挟持することができ、釣針３０を取り付けることができる。そして、錘本体１０から取着部材２０を取り外すことにより、チモト３１の挟持を解除して錘本体１０と取着部材２０との間から釣針３０を取り外すことができる。
【００３１】
釣針３０は、軸部３２と、軸部３２の一端側に形成されたリング状のチモト３１と、軸部３２の他端側に湾曲して形成された針先部３３とを有している。チモト３１は、錘本体１０の凹部１２の内側壁１２ａに係止可能であり、チモト３１の近傍の軸部３２は、溝部１２ｃ内に配置可能である。
【００３２】
次に、前記した構成を有するジグヘッド１の組み付けや釣針３０等の交換について説明する。
はじめに、釣針３０の針先部３３が上側（釣糸側）を向くように釣針３０を指でつまみ、錘本体１０の上端の凹部１２にチモト３１をあてがって凹部１２内にチモト３１を押し込む。その後、取着部材２０のねじ部２２の先端をチモト３１の貫通孔３１ａに挿通させつつ、ねじ部２２を錘本体１０のねじ穴１１に螺合して締め付ける。
【００３３】
取着部材２０を締め付けていくと、取着部材２０の頭部２１の下面２１ｂが錘本体１０の上端面（凹部１２の開口縁）、およびチモト３１の上側部３１ｂに当接する状態となり、チモト３１は、これらの間に脱落不能に挟持されることとなる。
【００３４】
また、挟持された状態で、溝部１２ｃには、釣針３０の軸部３２が配置されているので、釣針３０がチモト３１を中心として錘本体１０の周方向に回動することが阻止される。
また、チモト３１は、その外形状に対応する内側壁１２ａを有する凹部１２に係止されて収容されるので、鉛直線Ｏ１に直交する方向の外力が釣針３０に作用した場合、その外力は、チモト３１から凹部１２の内側壁１２ａに直接的に伝達されることとなり、これによって、取着部材２０のねじ部２２に作用する負荷が軽減されることとなる。したがって、錘本体１０と取着部材２０との固定状態がより好適に維持されることとなる。
【００３５】
なお、前記のように、チモト３１の径方向における厚み寸法よりも幾分深くなる深さ寸法を有して底壁１２ｂを形成した場合には、凹部１２の底壁１２ｂと取着部材２０の頭部２１の下面２１ｂとの間に若干の隙間をもってチモト３１が挟持されることとなる。
【００３６】
以上のようにしてジグヘッド１が組み付けられる。組み付け後、結束部材２１ａに釣糸４１を結束することで仕掛けが完成する。
【００３７】
釣針３０を交換する場合には、取着部材２０の締め付けを緩めて錘本体１０から取着部材２０を取り外し、チモト３１を凹部１２内から引き出して釣針３０を取り外す。そして、前記と同様の手順で新しい釣針３０を取り付ける。
【００３８】
また、錘本体１０から取り外した取着部材２０を、予め用意した重量の異なる他の錘本体１０に取り付けることで、錘の重さを変更することもできる。この場合にも、他の錘本体１０と取着部材２０との間にチモト３１を挟持して釣針３０を取り付けることができる。
【００３９】
なお、組付時には、予め、取着部材２０のねじ部２２をチモト３１の貫通孔３１ａに挿通して、取着部材２０に釣針３０を保持しておいてから、錘本体１０に取着部材２０を螺合により取り付けてもよい。この場合、取着部材２０の締め付けに伴って、取着部材２０の頭部２１の下面２１ｂでチモト３１を押圧しながら、凹部１２内にチモト３１を収容することもできる。
【００４０】
以上説明した本実施形態のジグヘッド１によれば、錘本体１０と取着部材２０との間にチモト３１を挟持して釣針３０を取り付けることができるとともに、チモト３１の挟持を解除して釣針３０を取り外すことができるので、釣針３０が破損等した場合には、釣針３０を取り外して釣針３０のみを交換することができる。
また、錘本体１０から取着部材２０を取り外すことで、釣針３０の交換とともに錘本体１０を交換することができ、また、錘本体１０のみを交換することもできる。
また、取り外した取着部材２０を、重量の異なる他の錘本体１０に取り付けることによって、錘の重さを変更することができ、対象魚等の大きさや活性、潮の速度、海の深さ等に応じて、適切な重量を選択することができる。これにより、対象魚等の捕食活動を強く刺激することができる。
【００４１】
また、結束部材２１ａが錘本体１０の重心Ｏを通る鉛直線Ｏ１上に位置しているので、水中において実用的に安定した姿勢を保つことができる。これにより、対象魚等の捕食活動を強く刺激することができる。
また、結束部材２１ａを通じて釣糸４１によりジグヘッド１を水中で上下動させる際にも姿勢が安定し、対象魚等の捕食活動を強く刺激することができる。
【００４２】
また、錘本体１０の凹部１２にチモト３１を係止して収容することができるので、錘本体１０と取着部材２０との間にチモト３１が挟持されることと相俟って、錘本体１０と取着部材２０との間に釣針３０を強固に取り付けることができる。
したがって、釣針３０が取り付け取り外し可能な構成であるにもかかわらず、錘本体１０と取着部材２０との間から釣針３０が脱落してしまうのを好適に阻止することができる。これによって、対象魚等を釣針３０に確実に掛けることができる。
【００４３】
また、取着部材２０を錘本体１０と同様の材料から形成した場合には、取着部材２０を錘として機能させることができるので、錘本体１０と取着部材２０との重量を種々変更することによって、重量のバリエーションを豊富に設定することができる。これによって、対象魚等の大きさや活性、潮の速度、海の深さ等の状況に応じて、適切な重量を選択することができる。これにより、対象魚等の捕食活動を強く刺激することができる。
【００４４】
また、錘本体１０一つで所望の重量となるように設けたジグヘッド１に比べて、取着部材２０が錘として機能する分、錘本体１０の重量を小さく設定することができるので、携行性に優れるとともに、使い勝手のよいジグヘッド１が得られる。
【００４５】
なお、結束部材２１ａは、図１各図において二点鎖線で示すように、取着部材２０の頭部２１の外周面２１ｃに対して設けてもよい。このようにすることで、結束部材２１ａ’を中心として傾斜する姿勢を採るようにジグヘッド１を設定することができる。なお、結束部材２１ａは、頭部２１の上面や外周面２１ｃに対して取り付け取り外し可能に設けてもよい。
【００４６】
また、チモト３１に対して釣糸４１を直接結束するように構成してもよい。この場合、チモト３１を長孔形状に形成したり、結束部をチモト３１に付設したりすることで、チモト３１に釣糸４１を容易に結束することができる。また、これに対応して、凹部１２の形状をチモト３１の形状に対応する形状に変更してもよく、結束部や釣糸４１を引き出すための溝等を凹部１２に通じるように形成してもよい。
【００４７】
また、本実施形態では、錘本体１０にねじ穴１１を形成して取着部材２０にねじ部２２を設けたが、これとは反対に、錘本体１０の上端にねじ部を設けるとともに、取着部材２０にねじ穴を形成してもよい。この場合にも螺合による締め付けで錘本体１０と取着部材２０との間にチモト３１を挟持して釣針３０を取り付けることができる。
【００４８】
（第２実施形態）
次に、第２実施形態のジグヘッド１Ａについて図２各図を参照して説明する。本実施形態では、図２各図に示すように、略円錐状を呈する錘本体１０Ａの上部１３が円柱状とされて上方へ延設されており、この上部１３に形成された横孔１４に扁平状に形成されたチモト３１Ａ（図２（ａ）参照）が挿入されて釣針３０Ａが挟持されるように構成されている点が異なっている。
【００４９】
錘本体１０Ａは、第１実施形態と同様に、例えば、タングステン、すず、金属粉を含む樹脂材等で形成されており、材料や質量を変えることにより重量を任意に設定することができる。また、錘本体１０Ａの表面に、対象魚等の捕食活動を刺激するような色や模様を付すこともできる。
【００５０】
横孔１４は、錘本体１０Ａの軸線に直交するように、錘本体１０Ａの上部１３を貫通して形成された角孔状の貫通孔であり、開口１４ａを通じてチモト３１Ａが挿入可能である。
横孔１４内において、横孔１４には、ねじ穴１１が上方から連通している。ねじ穴１１には、取着部材として機能する固定ねじ２０Ａのねじ部２２が螺合可能であり、固定ねじ２０Ａのねじ部２２をねじ穴１１に螺合させて締め付けると、ねじ部２２の下端部２２ｂが横孔１４内を下降して、横孔１４内に配置されたチモト３１Ａに上方から当接するようになっている（図２（ｃ）参照）。
【００５１】
つまり、錘本体１０Ａに固定ねじ２０Ａを螺合して締め付ける（取り付ける）と、チモト３１Ａは、横孔１４の下面１４ｂとねじ部２２の下端部２２ｂとの間に挟持されるようにして横孔１４内に固定される。
【００５２】
固定ねじ２０Ａは、螺合により錘本体１０Ａに取り付け取り外し可能であり、硬質の材料、例えば、錘本体１０Ａと同様の材料から形成することができ、また、樹脂材のみから形成することもできる。なお、取着部材２０を錘本体１０Ａと同様の材料から形成した場合には、固定ねじ２０Ａを、錘本体１０Ａと一体とされた錘として機能させることができる。
【００５３】
結束部材２１ａは、図２（ａ）に示すように、固定ねじ２０Ａのねじ部２２が挿通されるリング部２１ｃを有しており、このリング部２１ｃにねじ部２２を挿通して固定ねじ２０Ａを錘本体１０Ａに螺合することによって、錘本体１０Ａの上端に取り付けられるようになっている。
【００５４】
釣針３０Ａは、プレス加工等によって平面視で扁平な扇状に形成されたチモト（タタキ）３１Ａを有している。チモト３１Ａは、開口１４ａを通じて横孔１４内に挿入可能であり、前記したように横孔１４内においてねじ部２２の下端部２２ｂに押圧され、横孔１４の下面１４ｂとの間に挟持されることとなる。
【００５５】
したがって、釣針３０Ａは、チモト３１Ａを横孔１４の開口１４ａから横孔１４内に挿入し、錘本体１０Ａに固定ねじ２０Ａを螺合して締め付けるという簡単な操作で取り付けることができる。
【００５６】
なお、横孔１４内にチモト３１Ａが挟持された状態で、横孔１４の開口１４ａには、チモト３１Ａの近傍の軸部３２が位置するようになっているので、釣針３０Ａがチモト３１Ａを中心として錘本体１０Ａの周方向に回動することがない。
【００５７】
また、釣針３０Ａを交換する場合には、固定ねじ２０Ａの締め付けを緩め、チモト３１Ａを横孔１４内から引き出して釣針３０Ａを取り外す。そして、前記と同様の手順で新しい釣針３０Ａを取り付ける。
【００５８】
また、釣針３０Ａの交換時に、錘本体１０Ａから固定ねじ２０Ａを取り外し、これを予め用意した重量の異なる他の錘本体１０Ａに取り付けることもできる。これにより、錘の重さを変更することもできる。この場合にも、他の錘本体１０Ａと固定ねじ２０Ａとの間にチモト３１Ａを挟持させることで釣針３０Ａを取り付けることができる。
【００５９】
以上説明した本実施形態のジグヘッド１Ａによれば、錘本体１０Ａと固定ねじ２０Ａとの間にチモト３１Ａを挟持して釣針３０Ａを取り付けることができるとともに、チモト３１Ａの挟持を解除して釣針３０Ａを取り外すことができるので、釣針３０Ａが破損等した場合には、釣針３０Ａを取り外して釣針３０Ａのみを交換することができる。
また、錘本体１０Ａから固定ねじ２０Ａを取り外すことで、釣針３０Ａの交換とともに錘本体１０Ａを交換することができ、また、錘本体１０Ａのみを交換することもできる。
また、取り外した固定ねじ２０Ａを、重量の異なる他の錘本体１０Ａに取り付けることによって、錘の重さを変更することができ、対象魚等の大きさや活性、潮の速度、海の深さ等に応じて、適切な重量を選択することができる。これにより、対象魚等の捕食活動を強く刺激することができる。
【００６０】
また、固定ねじ２０Ａを錘本体１０Ａと同様の材料から形成して錘として機能させた場合には、前記した第１実施形態と同様の作用効果が得られる。
【００６１】
なお、本実施形態では、横孔１４を貫通孔として設けたが、これに限られることはなく、有底状の穴としてもよい。
また、チモト３１Ａは、固定ねじ２０Ａの締め付けにより挟持される形状であればよく、任意の形状を採用することができる。
なお、チモト３１Ａを形成することなく、釣針３０Ａの軸部３２をそのまま使用して、これを丸形や楕円形に形成した横孔に挿入して固定するように構成してもよい。
また、結束部材２１ａは、固定ねじ２０Ａの頭部の上面における略中心部に設けてもよく、また、複数個所に設けて、これらのうちから選択的に釣糸を結束するように構成してもよい。
【００６２】
図３は、本実施形態のジグヘッド１Ａの変形例を示す図であり、（ａ）は錘本体の上部を拡大して示す斜視図、（ｂ）は横孔にチモトを装着した状態を示す斜視図、（ｃ）は外観斜視図である。
このジグヘッド１Ａでは、横孔１４の開口１４ａに抜け止め防止用の壁部１４ｃ、１４ｃが設けられている。壁部１４ｃ，１４ｃは、横孔１４の開口側縁から内側へ向けてそれぞれ一体的に突設されており、壁部１４ｃ，１４ｃの間に、チモト３１Ａの近傍の軸部３２を挿通可能な間隔が形成されている。また、開口１４ａにおける壁部１４ｃ，１４ｃの上方には、チモト３１Ａを挿入可能なスペースＳが形成されている。
【００６３】
このようなジグヘッド１Ａでは、開口１４ａのスペースＳを通じて横孔１４内にチモト３１Ａを挿入することができ、挿入後に、壁部１４ｃ，１４ｃの背面側において横孔１４の下面１４ｂにチモト３１Ａを載置する。
そして、この状態で固定ねじ２０Ａを螺合して締め付けると、チモト３１Ａは、横孔１４内において、横孔１４の下面１４ｂと固定ねじ２０Ａのねじ部２２（図２（ａ）参照）の下端部２２ｂ（図２（ａ）参照）との間に挟持され、釣針３０Ａが固定される。
【００６４】
横孔１４の開口１４ａには、前記したように壁部１４ｃ，１４ｃが設けられており、図３（ｂ）に示すように、横孔１４内にチモト３１Ａを挟持した後は（ねじ部２２は不図示）、この壁部１４ｃ，１４ｃの背面側に、平面視で扇状とされたチモト３１Ａが引っ掛かる状態となる。これによって、開口１４ａ側にチモト３１Ａが抜けるのを確実に阻止することができる。
【００６５】
なお、チモト３１Ａの近傍の軸部３２は、開口１４ａの幅よりも狭くされた壁部１４ｃ，１４ｃの間に挿通されて保持されるので、釣針３０Ａがチモト３１Ａを中心として錘本体１０Ａの周方向に回動することがより一層確実に阻止される。
【００６６】
（第３実施形態）
次に、第３実施形態のジグヘッド１Ｂについて図４各図を参照して説明する。本実施形態のジグヘッド１Ｂは、図４各図に示すように、錘本体１０Ｂと取着部材２０Ｂとを、これらとは別体とされた固定部材２５で連結するように構成した点が異なっている。
【００６７】
錘本体１０Ｂは、略円錐状（裁頭円錐状）を呈して前記各実施形態と同様の材料からなり、上端に凹部１２を備えている。錘本体１０Ｂは、鉛直線Ｏ２（図４（ｂ）参照）に沿う中空部１６を備えており、この中空部１６には、固定部材２５の固定軸２５ｂが挿通可能である。
【００６８】
取着部材２０Ｂは、固定部材２５を介して錘本体１０Ｂの上端に取り付け取り外し（当接離脱）可能であり、第１実施形態と同様の材料から形成することができる。取着部材２０Ｂは、略円柱状に形成されて、その下端中央には、軸線方向に沿うねじ穴（雌ねじ）２４が開口形成されている。ねじ穴２４の図示しない軸線は、錘本体１０Ｂの重心Ｏを通る鉛直線Ｏ２（図４（ｂ）参照）に略一致している。このねじ穴２４には、固定部材２５の固定軸２５ｂに形成されたねじ部２５ｃが螺合可能である。
【００６９】
固定部材２５は、円板状の基部２５ａと、この基部２５ａの軸線に沿って突設された固定軸２５ｂとを有しており、固定軸２５ｂの先端部に前記したねじ部２５ｃが設けられている。固定軸２５ｂは、前記したように錘本体１０Ｂの中空部１６に挿通可能であり、挿通された状態でねじ部２５ｃは、中空部１６から上方へ突出して取着部材２０Ｂのねじ穴２４に螺合可能となっている。
そして、ねじ部２５ｃおよび固定軸２５ｂは、釣針３０のチモト３１に形成された貫通孔３１ａに挿通可能な径を有している。これによって、取着部材２０Ｂは、凹部１２内にチモト３１を収容した状態で、そのねじ部２５ｃおよび固定軸２５ｂをチモト３１の貫通孔３１ａに挿通させて取着部材２０Ｂのねじ穴２４に螺合可能である。
なお、釣針３０は、前記第１実施形態と同様の円環状のチモト３１としてある。
【００７０】
このようなジグヘッド１Ｂにおいて、釣針３０を組み付ける際には、例えば、錘本体１０Ｂの凹部１２にチモト３１を収容して係止しておいてから、錘本体１０Ｂの上端に取着部材２０Ｂをあてがって錘本体１０Ｂと取着部材２０Ｂとの間にチモト３１を保持する。
そして、錘本体１０Ｂの底部から固定部材２５の固定軸２５ｂを挿入して固定軸２５ｂのねじ部２５ｃを取着部材２０Ｂのねじ穴２４に螺合して締め付ける。
これによって、固定部材２５が取着部材２０Ｂに締め付けられ、錘本体１０Ｂと取着部材２０Ｂとが強固に当接して、これらの間にチモト３１が挟持されることとなる。
【００７１】
この組み付けでは、固定部材２５を螺合する前に、錘本体１０Ｂと取着部材２０Ｂとの間にチモト３１を挟んで保持することができるので、固定部材２５の締め付けが完了する前に凹部１２からチモト３１が外れることがなくなり、組み付けが行い易いという利点が得られる。
【００７２】
なお、錘本体１０Ｂは、材料や質量を変えることにより重量を任意に設定することができ、また、錘本体１０Ｂから取り外した取着部材２０Ｂを、予め用意した重量の異なる他の錘本体１０Ｂに取り付けることで、錘の重さを変更することもできる。この場合にも、他の錘本体１０Ｂと取着部材２０Ｂとの間にチモト３１を挟持させることで釣針３０を取り付けることができる。
【００７３】
なお、図４（ｃ）に二点鎖線で示すように、リング状の分割錘２５Ａ，２５Ｂを固定部材２５に挿通して取り付けるようにしてもよい。このようにすることで、錘の重さを簡単に変更することができる。
【００７４】
（第４実施形態）
次に、第４実施形態のジグヘッド１Ｃについて図５各図を参照して説明する。本実施形態のジグヘッド１Ｃは、図５各図に示すように、錘本体１０Ｃが球状を呈しており、その中央部に開口形成された横孔１５に、釣針３０のチモト３１が挿入されて取着部材として機能する固定ねじ２０Ｃの締め付けにより釣針３０が取り付けられるようになっている点を特徴としている。
【００７５】
錘本体１０Ｃは、第１実施形態と同様に、例えば、タングステン、すず、金属粉を含む樹脂材等で形成されており、材料や質量を変えることにより重量を任意に設定することができる。また、錘本体１０Ｃの表面に、対象魚等の捕食活動を刺激するような色や模様を付すこともできる。
錘本体１０Ｃの中央部には、扁平状の横孔１５が貫通形成されており、開口１５ａを通じてチモト３１が挿通可能である。横孔１５には、ねじ孔１７が上方から貫通形成されており、ねじ孔１７には、固定ねじ２０Ｃのねじ部２６が横孔１５を貫通した状態で螺合可能となっている。なお、ねじ部２６は、チモト３１の貫通孔３１ａに挿通可能な径を有している。また、ねじ孔１７の開口には固定ねじ２０Ｃの下部を収容する凹部１７ａが形成されている。
【００７６】
このような横孔１５は、固定ねじ２０Ｃの螺合による締め付けによって、ねじ孔１７の直交する上面１５ｂと下面１５ｃとの間にチモト３１が挟持されるように構成されている。つまり、図５（ｃ）に示すように、固定ねじ２０Ｃのねじ部２６をチモト３１を貫通するようにしてねじ孔１７に螺合させて締め付けると、弾性をもって横孔１５の上面１５ｂと下面１５ｃとの距離が若干狭まるように構成されており、上面１５ｂと下面１５ｃとの間にチモト３１が挟持されるようになっている。
【００７７】
本実施形態のジグヘッド１Ｃによれば、固定ねじ２０Ｃの締め付けにより、間接的に錘本体１０Ｃと固定ねじ２０Ｃとの間に（上面１５ｂと下面１５ｃとの間に）、チモト３１を挟持して釣針３０を取り付けることができるとともに、チモト３１の挟持を解除して釣針３０を取り外すことができるので、釣針３０が破損等した場合には、釣針３０を取り外して釣針３０のみを交換することができる。
また、錘本体１０Ｃから固定ねじ２０Ｃを取り外すことで、釣針３０の交換とともに錘本体１０Ｃを交換することができ、また、錘本体１０Ｃのみを交換することもできる。
【００７８】
なお、本実施形態では、横孔１５を貫通孔として設けたが、これに限られることはなく、有底状の穴としてもよい。
また、横孔１５の開口１５ａ側が奥側に比べて拡がるように形成してもよい。このようにすることで、扁平状の横孔１５に対するチモト３１の挿入が行い易くなる。また、横孔１５の幅が拡がることによって、横孔１５の上面１５ｂと下面１５ｃとの弾性をもった接近、離反が行われ易くなり、釣針３０の取り付け取り外し時の操作が行い易くなる。
【００７９】
なお、錘本体１０Ｃは、横孔１５を境にして上下に分離して構成してもよい。このように構成した場合にも、固定ねじ２０Ｃの締め付けによって、上下に分離した錘本体１０Ｃの間にチモト３１を好適に挟持することができ、錘本体１０Ｃに釣針３０を取り付け取り外しすることができる。
【００８０】
また、チモト３１に固定ねじ２０Ｃのねじ部２６が螺合しながら挿通するようにねじ部２６の径を設定することで、固定ねじ２０Ｃと錘本体１０Ｃとの間にチモト３１を直接挟持するように構成してもよい。
また、チモト３１の上側部３１ｂに、固定ねじ２０Ｃのねじ部２６の下端部２６ｂが上方から当接してチモト３１を押圧するようにねじ部２６の径を太く設定し、固定ねじ２０Ｃと錘本体１０Ｃとの間にチモト３１を直接挟持するように構成してもよい。
また、凹部１７ａを深く形成して、凹部１７ａが横孔１５に連通するように構成し、この凹部１７ａ内に挿入されて螺合される固定ねじ２０Ｃで、錘本体１０Ｃとの間にチモト３１を直接挟持するようにしてもよい。この場合、固定ねじ２０Ｃの頭部が錘本体１０Ｃから突出ように、固定ねじ２０Ｃの頭部を軸方向に長く形成してもよい。
【００８１】
なお、前記第１実施形態では、錘本体１０の凹部１２にチモト３１を係止して収容するように構成したが、これに限られることはなく、取着部材２０の頭部２１の下面２１ｂに開口するように凹部を設けて、この凹部にチモト３１を係止して収容するように構成してもよい。この場合にも、錘本体１０に凹部１２を形成した場合と同様の作用効果が得られる。
【００８２】
また、前記第１実施形態において、底壁１２ｂの深さは、チモト３１の略全体が収容される深さとしたが、これに限られることはなく、凹部１２内にチモト３１を収容した状態で、チモト３１の上側部３１ｂが凹部１２内から若干突出するように底壁１２ｂの深さを設定してもよい。このようにすることで、チモト３１の上側部３１ｂが取着部材２０の下面２１ｂに、より確実に密着するようになり挟持状態が強まる。
なお、底壁１２ｂの深さは、凹部１２内にチモト３１を配置した状態で、チモト３１の厚み方向の寸法の略半分が凹部１２内から突出するように形成してもよいし、チモト３１の厚み方向の寸法の略半分以上が凹部１２内から突出するように形成してもよい。
【００８３】
また、前記第１実施形態において、凹部１２は必ずしも設けなければならないものではなく、錘本体１０と取着部材２０との間でチモト３１を直接挟持するように構成してもよい。
【符号の説明】
【００８４】
１，１Ａ，１Ｂ，１Ｃ    ジグヘッド
１０，１０Ａ，１０Ｂ，１０Ｃ  錘本体
１２    凹部
２０，２０Ｂ  取着部材
２０Ａ  固定ねじ（取着部材）
３１，３１Ａ  チモト
Ｏ      重心
Ｏ１，Ｏ２    鉛直線
【図１】
2011110032.tif 000003
【図２】
2011110032.tif 000004
【図３】
2011110032.tif 000005
【図４】
2011110032.tif 000006
【図５】
2011110032.tif 000007